(57)【要約】基地局は、モバイル・デバイスへスケジューリング・ユニットを送信し、モバイル・デバイス機能を高めることができる。スケジューリング・ユニットを効率的に送信するために、情報が、管理可能なユニットへブレイク・ダウンされうる。ブレイク・ダウンされたユニットは、グループへ体系化され、これらユニットが、利用可能なリソースに応じて送信されるようになる。モバイル・デバイスがスケジューリング・ユニットを受信するまで、送信が続き、その後の送信のために、再体系化がなされる。
2010539803.tif 000002
【特許請求の範囲】
【請求項１】
システム情報を配信する方法であって、
少なくとも１つの送信ユニットを、利用可能なリソースに応じて通信パターンに体系化することと、
前記体系化された通信パターンにしたがって、前記少なくとも１つの送信ユニットを送信することと
を備える方法。
【請求項２】
前記少なくとも１つの送信ユニットのサイズの決定することをさらに備える請求項１に記載の方法。
【請求項３】
前記決定されたサイズからなる少なくとも１つの送信ユニットへ、スケジューリング・ユニットを分割することをさらに備える請求項２に記載の方法。
【請求項４】
前記体系化が基づく利用可能なリソースを判定することをさらに備える請求項１に記載の方法。
【請求項５】
有効範囲領域を用いて、モバイル・デバイスが入ったことを発見することをさらに備え、前記発見されたモバイル・デバイスは、少なくとも１つの送信ユニットを取得する請求項１に記載の方法。
【請求項６】
前記発見されたモバイル・デバイスが、少なくとも１つの送信ユニットを受信すべきであるかを判定することをさらに備え、前記判定は、セキュリティに応じてなされる請求項５に記載の方法。
【請求項７】
前記送信から少なくとも１つの送信ユニットを受信するモバイル・デバイスのログを生成することをさらに備える請求項５に記載の方法。
【請求項８】
前記有効範囲領域内にモバイル・デバイスが存在しないときを判定することと、
前記有効範囲領域内にモバイル・デバイスが存在しないことについて、ラベラによって肯定的な判定がなされると、エミッタを非アクティブにすることと
をさらに備える請求項１に記載の方法。
【請求項９】
無線通信装置であって、
少なくとも１つの送信ユニットを、利用可能なリソースに応じて通信パターンに体系化するアレンジャと、
前記体系化された通信パターンにしたがって、前記少なくとも１つの送信ユニットを送信するセンダと
を備える装置。
【請求項１０】
前記少なくとも１つの送信ユニットのサイズの決定するカテゴライザをさらに備える請求項９に記載の装置。
【請求項１１】
前記決定されたサイズからなる少なくとも１つの送信ユニットへ、スケジューリング・ユニットを分割するブレーカをさらに備える請求項１０に記載の装置。
【請求項１２】
前記体系化が基づく利用可能なリソースを判定するアナライザをさらに備える請求項９に記載の装置。
【請求項１３】
有効範囲領域を用いて、モバイル・デバイスが入ったことを発見するアイデンティファイヤをさらに備え、前記発見されたモバイル・デバイスは、少なくとも１つの送信ユニットを取得する請求項９に記載の装置。
【請求項１４】
前記発見されたモバイル・デバイスが、少なくとも１つの送信ユニットを受信すべきであるかを判定するチェッカをさらに備え、前記判定は、セキュリティに応じてなされる請求項１３に記載の装置。
【請求項１５】
前記センダから少なくとも１つの送信ユニットを受信するモバイル・デバイスのログを生成する生成部をさらに備える請求項１３に記載の装置。
【請求項１６】
前記有効範囲領域内にモバイル・デバイスが存在しないときを判定するラベラと、
前記ラベラによって肯定的な判定がなされると、前記センダを非アクティブにするマネジャと
をさらに備える請求項１３に記載の装置。
【請求項１７】
無線通信装置であって、
少なくとも１つの送信ユニットを、利用可能なリソースに応じて通信パターンに体系化する手段と、
前記体系化された通信パターンにしたがって、前記少なくとも１つの送信ユニットを送信する手段と
を備える装置。
【請求項１８】
前記少なくとも１つの送信ユニットのサイズの決定する手段をさらに備える請求項１７に記載の装置。
【請求項１９】
前記決定されたサイズからなる少なくとも１つの送信ユニットへ、スケジューリング・ユニットを分割する手段をさらに備える請求項１８に記載の装置。
【請求項２０】
前記体系化が基づく利用可能なリソースを判定する手段をさらに備える請求項１７に記載の装置。
【請求項２１】
有効範囲領域を用いて、モバイル・デバイスが入ったことを発見する手段をさらに備え、前記発見されたモバイル・デバイスは、少なくとも１つの送信ユニットを取得する請求項１７に記載の装置。
【請求項２２】
前記発見されたモバイル・デバイスが、少なくとも１つの送信ユニットを受信すべきであるかを判定する手段をさらに備え、前記判定は、セキュリティに応じてなされる請求項２１に記載の装置。
【請求項２３】
前記送信から少なくとも１つの送信ユニットを受信するモバイル・デバイスのログを生成する手段をさらに備える請求項２１に記載の装置。
【請求項２４】
前記有効範囲領域内にモバイル・デバイスが存在しないときを判定する手段と、
前記有効範囲領域内にモバイル・デバイスが存在しないことについて、肯定的な判定がなされると、エミッタを非アクティブにする手段と
をさらに備える請求項２１に記載の装置。
【請求項２５】
少なくとも１つの送信ユニットを、利用可能なリソースに応じて通信パターンに体系化するためのコードと、
前記体系化された通信パターンにしたがって、前記少なくとも１つの送信ユニットを送信するためのコードと、
を備えるコンピュータ読取可能媒体を備えるコンピュータ・プログラム製品。
【請求項２６】
前記少なくとも１つの送信ユニットのサイズの決定するためのコードをさらに備える請求項２５に記載のコンピュータ・プログラム製品。
【請求項２７】
前記決定されたサイズからなる少なくとも１つの送信ユニットへ、スケジューリング・ユニットを分割するためのコードをさらに備える請求項２６に記載のコンピュータ・プログラム製品。
【請求項２８】
前記体系化が基づく利用可能なリソースを判定するためのコードをさらに備える請求項２５に記載のコンピュータ・プログラム製品。
【請求項２９】
有効範囲領域を用いて、モバイル・デバイスが入ったことを発見するためのコードをさらに備え、前記発見されたモバイル・デバイスは、少なくとも１つの送信ユニットを取得する請求項２５に記載のコンピュータ・プログラム製品。
【請求項３０】
前記発見されたモバイル・デバイスが、少なくとも１つの送信ユニットを受信すべきであるかを判定することをさらに備え、前記判定は、セキュリティに応じてなされる請求項２９に記載のコンピュータ・プログラム製品。
【請求項３１】
前記送信から少なくとも１つの送信ユニットを受信するモバイル・デバイスのログを生成することをさらに備える請求項２９に記載のコンピュータ・プログラム製品。
【請求項３２】
前記有効範囲領域内にモバイル・デバイスが存在しないときを判定し、前記有効範囲領域内にモバイル・デバイスが存在しないことについて、肯定的な判定がなされると、エミッタを非アクティブにするためのコードをさらに備える請求項２９に記載のコンピュータ・プログラム製品。
【請求項３３】
無線通信システムにおける装置であって、
少なくとも１つの送信ユニットを、利用可能なリソースに応じて通信パターンに体系化し、前記体系化された通信パターンにしたがって、前記少なくとも１つの送信ユニットを送信するように構成されたプロセッサを備える装置。
【請求項３４】
前記プロセッサはさらに、前記少なくとも１つの送信ユニットのサイズの決定するように構成された請求項３３に記載の装置。
【請求項３５】
前記プロセッサはさらに、前記決定されたサイズからなる少なくとも１つの送信ユニットへ、スケジューリング・ユニットを分割するように構成された請求項３４に記載の装置。
【請求項３６】
前記プロセッサはさらに、前記体系化が基づく利用可能なリソースを判定するように構成された請求項３３に記載の装置。
【請求項３７】
前記プロセッサはさらに、有効範囲領域を用いて、モバイル・デバイスが入ったことを発見するように構成され、前記発見されたモバイル・デバイスは、少なくとも１つの送信ユニットを取得する請求項３３に記載の装置。
【請求項３８】
前記プロセッサはさらに、前記発見されたモバイル・デバイスが、少なくとも１つの送信ユニットを受信すべきであるかを判定するように構成され、前記判定は、セキュリティに応じてなされる請求項３７に記載の装置。
【請求項３９】
前記プロセッサはさらに、前記送信から少なくとも１つの送信ユニットを受信するモバイル・デバイスのログを生成するように構成された請求項３７に記載の装置。
【請求項４０】
前記プロセッサはさらに、前記有効範囲領域内にモバイル・デバイスが存在しないときを判定し、前記有効範囲領域内にモバイル・デバイスが存在しないことについて、肯定的な判定がなされると、エミッタを非アクティブにするように構成された請求項３７に記載の装置。
【請求項４１】
スケジューリング・ユニットを処理する方法であって、
利用可能なリソースに基づいてパッケージを配列する基地局から、生成された送信ユニット・パッケージを収集することと、
収集された送信ユニット・パッケージにおいて、少なくとも１つの送信ユニットを識別することと
を備える方法。
【請求項４２】
前記識別された送信ユニットが既に認識されているかを判定することと、
前記送信ユニットが既に認識されているのであれば、前記識別された送信ユニットを破棄することと
をさらに備える請求項４１に記載の方法。
【請求項４３】
少なくとも１つの識別された送信ユニットを、スケジューリング・ユニット・シーケンス内に配列することをさらに備える請求項４１に記載の方法。
【請求項４４】
前記スケジューリング・ユニット・シーケンスが完了していることを示すコンファメーションを送信することをさらに備える請求項４３に記載の方法。
【請求項４５】
少なくとも１つの送信ユニットが喪失し、スケジューリング・ユニット・シーケンスが完了していないことを認識することと、
スケジューリング・ユニットの再送信を要求することと
をさらに備える請求項４１に記載の方法。
【請求項４６】
無線通信装置であって、
利用可能なリソースに基づいてパッケージを配列する基地局から、生成された送信ユニット・パッケージを収集するギャザラと、
収集された送信ユニット・パッケージにおいて、少なくとも１つの送信ユニットを識別するクラシファイヤと
を備える装置。
【請求項４７】
前記識別された送信ユニットが既に認識されているかを判定するリテイナと、
前記送信ユニットが既に認識されているのであれば、前記識別された送信ユニットを破棄するディスポーザと
をさらに備える請求項４６に記載の装置。
【請求項４８】
少なくとも１つの識別された送信ユニットを、スケジューリング・ユニット・シーケンス内に配列するプレイサをさらに備える請求項４６に記載の装置。
【請求項４９】
前記スケジューリング・ユニット・シーケンスが完了していることを示すコンファメーションを送信するコンベイヤをさらに備える請求項４８に記載の装置。
【請求項５０】
少なくとも１つの送信ユニットが喪失し、スケジューリング・ユニット・シーケンスが完了していないことを認識する認識部と、
スケジューリング・ユニットの再送信を要求する要求部と
をさらに備える請求項４６に記載の装置。
【請求項５１】
無線通信装置であって、
利用可能なリソースに基づいてパッケージを配列する基地局から、生成された送信ユニット・パッケージを収集する手段と、
収集された送信ユニット・パッケージにおいて、少なくとも１つの送信ユニットを識別する手段と
を備える装置。
【請求項５２】
前記識別された送信ユニットが既に認識されているかを判定する手段と、
前記送信ユニットが既に認識されているのであれば、前記識別された送信ユニットを破棄する手段と
をさらに備える請求項５１に記載の装置。
【請求項５３】
少なくとも１つの識別された送信ユニットを、スケジューリング・ユニット・シーケンス内に配列する手段をさらに備える請求項５１に記載の装置。
【請求項５４】
前記スケジューリング・ユニット・シーケンスが完了していることを示すコンファメーションを送信する手段をさらに備える請求項５３に記載の装置。
【請求項５５】
少なくとも１つの送信ユニットが喪失し、スケジューリング・ユニット・シーケンスが完了していないことを認識する手段と、
スケジューリング・ユニットの再送信を要求する手段と
をさらに備える請求項５１に記載の装置。
【請求項５６】
利用可能なリソースに基づいてパッケージを配列する基地局から、生成された送信ユニット・パッケージを収集するためのコードと、
収集された送信ユニット・パッケージにおいて、少なくとも１つの送信ユニットを識別するためのコードと、
を備えるコンピュータ読取可能媒体を備えるコンピュータ・プログラム製品。
【請求項５７】
前記識別された送信ユニットが既に認識されているかを判定し、前記送信ユニットが既に認識されているのであれば、前記識別された送信ユニットを破棄するためのコードをさらに備える請求項５６に記載のコンピュータ・プログラム製品。
【請求項５８】
少なくとも１つの識別された送信ユニットを、スケジューリング・ユニット・シーケンス内に配列するためのコードをさらに備える請求項５６に記載のコンピュータ・プログラム製品。
【請求項５９】
前記スケジューリング・ユニット・シーケンスが完了していることを示すコンファメーションを送信するためのコードをさらに備える請求項５８に記載のコンピュータ・プログラム製品。
【請求項６０】
少なくとも１つの送信ユニットが喪失し、スケジューリング・ユニット・シーケンスが完了していないことを認識し、スケジューリング・ユニットの再送信を要求するためのコードをさらに備える請求項５６に記載のコンピュータ・プログラム製品。
【請求項６１】
無線通信システムにおける装置であって、
利用可能なリソースに基づいてパッケージを配列する基地局から、生成された送信ユニット・パッケージを収集し、収集された送信ユニット・パッケージにおいて、少なくとも１つの送信ユニットを識別するように構成されたプロセッサを備える装置。
【請求項６２】
前記プロセッサはさらに、前記識別された送信ユニットが既に認識されているかを判定し、前記送信ユニットが既に認識されているのであれば、前記識別された送信ユニットを破棄するように構成された請求項６１に記載の装置。
【請求項６３】
前記プロセッサはさらに、少なくとも１つの識別された送信ユニットを、スケジューリング・ユニット・シーケンス内に配列するように構成された請求項６１に記載の装置。
【請求項６４】
前記プロセッサはさらに、前記スケジューリング・ユニット・シーケンスが完了していることを示すコンファメーションを送信するように構成された請求項６３に記載の装置。
【請求項６５】
前記プロセッサはさらに、少なくとも１つの送信ユニットが喪失し、スケジューリング・ユニット・シーケンスが完了していないことを認識し、スケジューリング・ユニットの再送信を要求するように構成された請求項６１に記載の装置。
【発明の詳細な説明】
【優先権主張】
【０００１】
本願は、２００７年９月１１日に出願され"METHODS AND APPARATUSES FOR DELIVERY OF SYSTEM INFORMATION IN EVOLVED UNIVERSAL MOBILE TELECOMMUNICATIONS SYSTEM (UMTS) TERRESTRIAL RADIO ACCESS NETWORK (E-UTRAN)"と題された米国特許出願６０／９７１，５２０号への優先権を主張する。上記出願の全体は、参照によって本明細書に組み込まれる。
【技術分野】
【０００２】
以下の記載は、一般に、無線通信に関し、さらに詳しくは、スケジューリング・ユニットを転送することに関する。
【背景技術】
【０００３】
無線通信システムは、例えば音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。
【０００４】
通常、無線多元接続通信システムは、複数の無線端末のための通信を同時にサポートすることができる。おのおののモバイル・デバイスは、順方向リンクおよび逆方向リンクによって、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
ＭＩＭＯシステムは、データ伝送のために、複数（ＮＴ個の）送信アンテナと、複数（ＮＲ個の）受信アンテナを利用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、共通の物理媒体によって順方向リンク通信および逆方向リンク通信を分割するために、さまざまなデュプレクス技術をサポートすることができる。例えば、周波数分割デュプレクス（ＦＤＤ）システムは、順方向リンク通信および逆方向リンク通信のために、異なる周波数領域を利用することができる。さらに、時分割デュプレクス（ＴＤＤ）システムでは、順方向リンク通信および逆方向リンク通信が、共通の周波数領域を利用することができる。しかしながら、従来技術は、チャネル情報に関して、制限されたフィードバックしか提供しないか、あるいは、フィードバックを全く提供しない。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。１または複数の実施形態および対応する開示によれば、システム情報を配信する方法に関連するさまざまな態様が記載される。この方法は、少なくとも１つの送信ユニットを、利用可能なリソースに応じて、通信パターンへ体系化することを含みうる。さらに、この方法はまた、体系化された通信パターンにしたがって、少なくとも１つの送信ユニットを送信することをも含みうる。
【０００８】
別の態様によれば、無線通信装置が存在しうる。この装置は、少なくとも１つの送信ユニットを、利用可能なリソースに応じて通信パターンへ体系化するアレンジャと、体系化された通信パターンにしたがって少なくとも１つの送信ユニットを送信するセンダとを備える。
【０００９】
さらなる態様では、少なくとも１つの送信ユニットを、利用可能なリソースに応じて通信パターンへ体系化する手段を含む無線通信装置が存在しうる。さらに、この装置はまた、体系化された通信パターンにしたがって少なくとも１つの送信ユニットを送信する手段をも含みうる。
【００１０】
また別の態様では、少なくとも１つの送信ユニットを、利用可能なリソースに応じて通信パターンへ体系化するためのコードを有するコンピュータ読取可能媒体を備えるコンピュータ・プログラム製品を格納したコンピュータ・プログラム製品が存在しうる。また、体系化された通信パターンにしたがって少なくとも１つの送信ユニットを送信するためのコードもまた存在しうる。
【００１１】
また別の態様は、プロセッサを備える装置を、無線通信システム内に含みうる。このプロセッサは、少なくとも１つの送信ユニットを、利用可能なリソースに応じて、通信パターンに体系化するように構成されうる。さらに、プロセッサは、体系化された通信パターンにしたがって、少なくとも１つの送信ユニットを送信するように構成されうる。
【００１２】
１または複数の実施形態および対応する開示にしたがって、スケジューリング・ユニットを処理する方法に関連するさまざまな態様が記載される。この方法は、利用可能なリソースに基づいてパッケージを配列する基地局から、生成された送信ユニット・パッケージを収集することを備える。さらにこの方法は、収集された送信ユニット・パッケージにおいて、少なくとも１つの送信ユニットを識別することを備える。
【００１３】
別の態様によれば、利用可能なリソースに基づいてパッケージを配列する基地局から、生成された送信ユニット・パッケージを収集するギャザラ（ｇａｔｈｅｒｅｒ）を含む無線通信装置が存在しうる。さらに、この装置は、収集された送信ユニット・パッケージにおいて、少なくとも１つの送信ユニットを識別するクラシファイヤを含みうる。
【００１４】
さらなる態様では、利用可能なリソースに基づいてこのパッケージを配列する基地局から、生成された送信ユニット・パッケージを収集する手段を備える無線通信装置が存在しうる。この装置はさらに、収集された送信ユニット・パッケージにおいて、少なくとも１つの送信ユニットを識別する手段をも備えうる。
【００１５】
また別の態様によれば、利用可能なリソースに基づいてパケットを配列する基地局から、生成された送信ユニット・パッケージを収集するためのコードを有するコンピュータ読取可能媒体を備えるコンピュータ・プログラム製品を格納したコンピュータ・プログラム製品が存在しうる。さらには、収集された送信ユニット・パッケージにおいて、少なくとも１つの送信ユニットを識別するためのコードも存在しうる。
【００１６】
また別の態様は、無線通信システムにおいて、プロセッサを備える装置を含みうる。このプロセッサは、利用可能なリソースに基づいてパケットを配列する基地局から、生成された送信ユニット・パッケージを収集するのみならず、収集された送信ユニット・パッケージにおいて、少なくとも１つの送信ユニットを識別するように構成されうる。
【００１７】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの等価物を示すことが意図されている。
【図面の簡単な説明】
【００１８】
【図１】図１は、本明細書に記載されたさまざまな態様にしたがう無線通信システムの実例である。
【図２】図２は、本明細書に記載されたさまざまな態様にしたがって、スケジューリング・ユニットを転送するための通信システムの実例である。
【図３】図３は、本明細書に記載されたさまざまな態様にしたがって、スケジューリング・パケットを少なくとも１つの送信ユニットへ分解する、スケジューリング・ユニットの転送のための通信システムの実例である。
【図４】図４は、本明細書に記載されたさまざまな態様にしたがって、複数の転送を管理する、スケジューリング・ユニットの転送のための通信システムの実例である。
【図５】図５は、本明細書に記載されたさまざまな態様にしたがって、複数のパターンの体系化を管理する、スケジューリング・ユニットの転送のための通信システムの実例である。
【図６】図６は、本明細書に記載されたさまざまな態様にしたがって、情報が以前に取得されたかをチェックする、スケジューリング・ユニットの転送のための通信システムの実例である。
【図７】図７は、本明細書に記載されたさまざまな態様にしたがって、スケジューリング・パッケージを再構築する、スケジューリング・ユニットの転送のための通信システムの実例である。
【図８】図８は、本明細書に記載されたさまざまな態様にしたがって、さらなる情報を求める要求を行う、スケジューリング・ユニットの転送のための通信システムの実例である。
【図９】図９は、本明細書に記載されたさまざまな態様にしたがって、スケジューリング・ユニットを通信するための実例である。
【図１０】図１０は、本明細書に記載されたさまざまな態様にしたがって、スケジューリング・ユニットを転送するための方法論の実例である。
【図１１】図１１は、本明細書に記載されたさまざまな態様にしたがって、スケジューリング・ユニットを処理するための方法論の実例である。
【図１２】図１２は、スケジューリング・ユニットの通信を容易にするモバイル・デバイスの実例である。
【図１３】図１３は、スケジューリング・ユニットの通信を容易にするシステムの実例である。
【図１４】図１４は、本明細書に記載されたさまざまなシステムおよび方法と共に適用されうる無線ネットワーク環境の実例である。
【図１５】図１５は、本明細書に記載されたさまざまな態様にしたがって、スケジューリング・ユニットの転送を容易にするシステムの実例である。
【図１６】図１６は、本明細書に記載されたさまざまな態様にしたがって、スケジューリング・ユニットの処理を行うシステムの実例である。
【発明を実施するための形態】
【００１９】
さまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２０】
本願で使用されるように、用語「エージェント」、「マネジャ」、「ブロードキャスタ」、「ゲートウェイ」、「ページャ」、「トラッカ」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２１】
さらに、さまざまな実施形態が、本明細書では、モバイル・デバイスに関して記載される。モバイル・デバイスはまた、システム、加入者ユニット、加入者局、モバイル局、モバイル、遠隔局、遠隔端末、モバイル・デバイス、ユーザ端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、モバイル・デバイスと通信するために利用され、また、アクセス・ポイント、ノードＢ、イボルブド・ノードＢ（ｅノードＢ）、またはその他幾つかの専門用語でも称されうる。
【００２２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、コンピュータ読取可能媒体、無線チャネル、および、命令群および／またはデータを格納、包含、および／または搬送することができるその他さまざまな媒体を含みうる。
【００２３】
図１に示すように、本明細書で示されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多い、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのセットは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。
【００２６】
図２に示すように、基地局２０２がモバイル・デバイス２０４へスケジューリング・ユニットを転送するシステム２００の例が開示される。スケジューリング・ユニットは、利用可能なリソースに応じて、都合の良い時間（例えば、適切なリソースが利用可能な場合および／または利用可能と予想される場合）に、基地局２０２から配信される。リソースについて分析がなされ、この分析結果に基づいて、アレンジャ２０６が、利用可能なリソースに応じて、少なくとも１つの送信ユニットを、通信パターンへ体系化しうる。一般に、体系化は、送信ユニットをグルーピングすることを含む。センダ（ｓｅｎｄｅｒ）２０８は、体系化された通信パターンにしたがって（例えば、グルーピングの一部として）、少なくとも１つの送信ユニットを送信しうる。基地局２０２は、複数のモバイル・デバイス２０４へおよび／または複数の事象によりスケジューリング・ユニットを転送する。１つの実施形態によれば、いったん配列されると、この配列は、通信が完了するまで使用されるが、もしもリソースの利用度が変わると、別の配列が使用される。
【００２７】
基地局２０２からスケジューリング・ユニットが送信されると、モバイル・デバイス２０４は、この情報の処理および評価を行う。ギャザラ（ｇａｔｈｅｒｅｒ）２１０は、利用可能なリソースに基づいてパッケージを配列する基地局２０２から、生成された送信ユニット・パッケージを収集する。さらに、モバイル・デバイス２０４は、収集された送信ユニット・パッケージにおいて、少なくとも１つの送信ユニットを識別するクラシファイヤ２１２を使用する。スケジューリング・ユニット転送を示す間、本明細書で開示された態様にしたがって、他のタイプの情報が転送されうることが認識されるべきである。
【００２８】
図３に示すように、スケジューリング・ユニット・パッケージを分割し、このパッケージをモバイル・デバイス２０４へ転送するシステム３００の例が開示される。基地局２０２は、モバイル・デバイス２０４のために有益でありうるスケジューリング・ユニットを識別し、スケジューリング・ユニット・パッケージを生成する。アナライザ３０２は、体系化が基づく利用可能なリソースを判定する。さらに、この分析の結果は、送信ユニットのサイズを決定するために使用される。
【００２９】
カテゴライザ３０４は、少なくとも１つの送信ユニット（例えば、送信ユニットは、スケジューリング・ユニットの一部である）のサイズを決定する。この決定は、分析の結果に基づきうる。一般に、送信ユニットは比較的小さく、おおよそ均等に配信することが可能であり（例えば、送信ユニットは、おおよそ同じサイズである）、異なる送信セッションにわたって等しいサイズからなる。決定されたサイズを用いて、ブレーカ（ｂｒｅａｋｅｒ）３０６は、スケジューリング・ユニットを、決定されたサイズのうちの少なくとも１つの送信ユニットへ分割する。分割することに加えて、ブレーカ３０６は、例えば、情報が正確に分割されたかを判定するような、診断試験を実行しうる。
【００３０】
アレンジャ２０６は、アナライザ３０２によって決定された利用可能なリソースに応じて、少なくとも１つの決定された送信ユニットを、通信パターンへ体系化する。センダ２０８は、体系化された通信パターンにしたがって、ブレーカ３０６から、生成された少なくとも１つの送信ユニットを送信する。送信ユニットは、ギャザラ２１０を用いるモバイル・デバイス２０４へ移動することができる。ギャザラ２１０は、利用可能なリソースに基づいてパッケージを配列する基地局から、生成された送信ユニット・パッケージを収集する。さらに、収集された送信ユニット・パッケージにおいて、少なくとも１つの送信ユニットを識別するクラシファイヤ２１２が使用されうる。
【００３１】
図４に示すように、基地局２０２とモバイル・デバイス２０４との間での複数のスケジューリング・ユニットの送信のためのシステム４００が開示される。基地局２０２は、スケジューリング・ユニットの通信を容易にするアレンジャ２０６および／またはセンダ２０８を使用しうる。さまざまな要因により、基地局２０２から送信されるスケジューリング・ユニットは、モバイル・デバイス２０４へ到達しないかもしれない。これは、全体的（例えば、モバイル・デバイス２０４に送信ユニットがまったく到達しない）または部分的（例えば、いくつかの送信ユニットが到達するが、いくつかの送信ユニットは到達しない）に生じる。
【００３２】
したがって、基地局２０２は、モバイル・デバイス２０４への情報の配信を試みる際に、スケジューリング・ユニットが複数回転送されるように構成されうる。さらに、スケジューリング・ユニットは一般に、放射範囲内のモバイル・デバイス２０４がスケジューリング・ユニットを認識できるように送信されうる。アイデンティファイヤ４０２は、有効範囲領域を用いて、モバイル・デバイスが入ってきたことを発見することができる。この発見されたモバイル・デバイスは、少なくとも１つの送信ユニットを取得する。スケジューリング情報は本来検知可能であり、基地局２０２は、発見されたモバイル・デバイスが、少なくとも１つの送信ユニットを受信すべきであるかを判定するチェッカ４０４を使用することが可能である。この判定は、（例えば、人工知能技術を用いて）セキュリティに応じてなされる。生成器４０６は、センダ２０８から少なくとも１つの送信ユニットを受信するモバイル・デバイスのログを生成する。したがって、チェッカ４０４は、モバイル・デバイスのためのセキュリティ分析が記録されているかを判定するためにこのログを参照することができる。これによって、分析が少なくなり、もって、リソースが節約される。
【００３３】
人工知能技術は、本明細書に示されたさまざまな態様において使用することができる。これらの技術は、本明細書に記述されたさまざまな自動化された態様を実現することにしたがって、データから学習すること、および、複数のストレージ・ユニットにわたって情報を動的に格納することに関する推論および／または判定を行うことのための多くの方法論（例えば、Ｈｉｄｄｅｎ  Ｍａｒｋｏｖ  Ｍｏｄｅｌ（ＨＭＭ）および関連する原型依存モデル、例えばＢａｙｅｓｉａｎモデル・スコアまたは近似を用いた構造探索によって生成されたＢａｙｅｓｉａｎネットワークのようなより一般的な確率論的グラフィック・モデル、例えばサポート・ベクトル・マシン（ＳＶＭ）のような線形クラシファイヤ、例えば「ニューラル・ネット」方法やファジー論理方法と称される方法のような非線形クラシファイヤ、およびデータ融合を実行するその他のアプローチ等）のための多くの方法論のうちの１つを適用することができる。
【００３４】
図５に示すように、リソース管理を用いた、基地局２０２とモバイル・デバイス２０４との間のスケジューリング・ユニットの複数の送信のためのシステム５００の例が開示される。アレンジャ２０６は、送信ユニットを体系化し、センダ２０８は、アレンジャ２０６によって体系化されたように、送信ユニットを送信する。一般に、センダ２０８による送信はブロードである（例えば、特定のモバイル・デバイスへ向けられたものとは異り、有効範囲領域全体にわたってなされる）ので、複数のモバイル・デバイスによってアクセスされうる。
【００３５】
有効範囲領域を用いて、モバイル・デバイスが入ったことを発見するアイデンティファイヤ４０２が使用される。発見されたモバイル・デバイスは、少なくとも１つの送信ユニットを取得する。ラベラ（ｌａｂｅｌｅｒ）５０２は、有効範囲領域内にモバイル・デバイスが存在しないときを判定し、マネジャ５０４は、ラベラ５０２によって肯定的な判定がなされると、センダ２０８を非アクティブにする。したがって、スケジューリング・ユニットを受信するモバイル・デバイスが存在しない場合、送信のためのリソースを浪費することになるので、センダ２０８は動作を停止する。しかしながら、有効範囲領域内にモバイル・デバイスが存在しない場合であっても（例えば、いまだに送信ユニットが送信されている場合）、システム５００は、慎重に動作しうることが認識されるべきである。
【００３６】
さらに、アイデンティファイヤ４０２は、アレンジャによって実行される体系化が基づく利用可能なリソースを（例えば、人工知能技術によって）判定するために使用されうる。スケジューリング・ユニットの送信後、別の転送が適切となりうる。しかしながら、リソース利用度が変化し、もって、体系化における変化が生じる（例えば、アレンジャが、再び動作すべきである）可能性がある。基地局２０２は、アレンジャ２０６の動作を繰り返すマネジャ５０４を使用することができる。これによって、利用可能なリソースに応じて、少なくとも１つの送信ユニットを、通信パターンに体系化し、少なくとも１つの送信ユニットの送信の反復が、反復された体系にしたがって実行される。
【００３７】
モバイル・デバイス２０４は、スケジューリング・ユニットが同じパターンで複数回転送されることを要求する。これは、マネジャ５０４が機能しなくなることを要求し、基地局２０２は、この要求が達せられるべきかを判定する。モバイル・デバイス２０４は、送信ユニットを収集するためにギャザラ２１０を用い、グルーピングの一部であるユニットを識別するためにクラシファイヤ２１２を用いる。
【００３８】
図６に示すように、基地局２０２から転送されたスケジューリング・ユニットを処理するためのシステム６００の例が開示される。基地局２０２は、送信ユニットを、利用可能なリソース（例えば、他の機能によってわずかなリソースしか使われない場合、より多くのスケジューリング・ユニットを通信するために、時間ウィンドウが使用される）に基づいてグルーピングするアレンジャ２０６を用いる。センダ２０８は、適切な時に、グルーピングを送信するために適用される。
【００３９】
基地局２０２とモバイル・デバイス２０４との間で通信が容易とされ、これによって、スケジューリング・ユニットが転送される。ギャザラ２１０は、スケジューリング・ユニットを収集し、クラシファイヤ２１２は、送信ユニットを識別する。１つの実施形態によれば、スケジューリング・ユニットを保護するために暗号化技術が使用されうる。例えば、センダ２０８およびギャザラ２１０は、送信前に互いを認証し、（例えば、製造時におけるハード・コーディングに基づいて）安全な通信に入ることができる。
【００４０】
送信ユニットが喪失する恐れがあるので、基地局２０２は、スケジューリング・ユニットを複数回送信しうる。その後の送信を収集すると、リテイナ（ｒｅｔａｉｎｅｒ）６０２は、識別された送信ユニットが、既に認識されたものであるかを判定しうる。この送信ユニットが既に認識（例えば、収集、抽出、およびパッケージ化）されていれば、ディスポーザ（ｄｉｓｐｏｓｅｒ）６０４が、この識別された送信ユニットを破棄する。
【００４１】
図７に示すように、基地局２０２から転送されたスケジューリング・ユニットを処理するシステム７００の例が開示される。スケジューリング・ユニットが、基地局２０２から少なくとも１つのモバイル・デバイス２０４へ通信されうる。スケジューリング・ユニットのパッケージ全体を通信するためのウィンドゥを発見できないかもしれないので、スケジューリング・ユニットは、送信ユニットへ分割されうる。アレンジャ２０６は、利用可能なリソースに基づいて、送信ユニットを、パッケージへ体系化し、センダ２０８は、指定された時間に、スケジューリング・ユニットを安全に送信しうる。
【００４２】
モバイル・デバイス２０４は、送信されたスケジュール情報を、ギャザラ２１０を用いて収集し、クラシファイヤ２１２を用いて、特定の送信ユニットを識別する。クラシファイヤ２１２は、送信ユニットを抽出し、プレイサ（ｐｌａｃｅｒ）７０２は、少なくとも１つの識別された送信ユニットをスケジューリング・ユニット・シーケンス内に配列する。例えば、送信ユニットは、４／７シーケンスであることができ、プレイサ７０２は、送信ユニットをシーケンス内の適切な場所（例えば、４番目）に配列することができる。プレイサ７０２は、適切な情報が知られるようになった時（例えば、すべてのシーケンス部分が収集および／または認識された時）を判定するために、このシーケンスを分析する。コンベア（ｃｏｎｖｅｙｅｒ）７０４は、スケジューリング・ユニット・シーケンスが、適切な時間において完了したことを示すコンファメーションを送信する。この情報は、効率を追求し、動作を改善するために、基地局２０２または中央サーバによって使用されうる。
【００４３】
図８に示すように、基地局２０２から転送されたスケジューリング・ユニットを処理するシステム８００の例が開示される。スケジューリング・ユニットは、基地局２０２から、少なくとも１つのモバイル・デバイス２０４へ転送されうる。スケジューリング・ユニットは、送信ユニットへブレイク・ダウンされ、利用可能なリソースにしたがって送信されうる。アレンジャ２０６は、リソース情報を取得し、利用可能なリソースに基づいて送信ユニットをグルーピングする。センダ２０８は、リソースが利用可能な時を判定し、スケジューリング・ユニットを送信する。１つの実施形態によれば、グルーピングは、シーケンシャル（例えば、第１の送信ユニットと第２の送信ユニットのように、互いに近い送信ユニットがともに送信される）、またはランダム等でありうる。
【００４４】
モバイル・デバイス２０４は、送信されたスケジューリング情報を、ギャザラ２１０を用いて収集し、特定の送信ユニットを、クラシファイヤ２１２を用いて識別する。クラシファイヤ２１２は、スケジューリング・ユニット通信が完了した時を判定することができる。認識部８０２は、何が収集されたかを評価し、少なくとも１つの送信ユニットが喪失しており、もって、スケジューリング・ユニット・シーケンスが完了しない（例えば、グルーピングは、適切に通信されていない）ことを認識する。要求部８０４は、基地局がそのすべてを追うか、一部を追うか、あるいは無視するか等のスケジューリング・ユニット（例えば、すべての情報、受信されていない部分のみ等）の再送信を要求する。
【００４５】
図９に示すように、最初のセッション９０２および次のセッション９０４を用いて、通信セッション９００の例が開示される。スケジューリング・ユニット（ＳＵ）９０６は、（例えば、図３のカテゴライザ３０４および／または図３のブレーカ３０６として機能する）個別の送信ユニット９０８として定義され、利用可能なリソースに基づいて、（例えば、図２のアレンジャ２０６によって）グループへ体系化される（９１０）。前述したスケジューリング・ユニットの処理は、基地局においてなされうる。
【００４６】
このグルーピングは、モバイル・デバイスへ向けて送信される。モバイル・デバイスは、送信ユニットを認識し、これらユニットをパッケージへ配列して、ＳＵ９０６を再生成する。しかしながら、送信時に一部（例えば、送信ユニット２および送信ユニット３のグルーピング）が失われる可能性がある。したがって、次のセッション９０４は、異なるリソース割当に基づいて実行されうる。モバイル・デバイスは、既に認識された送信ユニットおよび／またはパッケージを識別し、（例えば、‘Ｘ’を用いて示された）それらを破棄する。さらに、モバイル・デバイスは、受信した送信ユニットを配列し、スケジューリング・パッケージ９１２へ体系化する。
【００４７】
ラジオ・リソース制御（ＲＲＣ）レベル・セグメンテーションに基づくメカニズムを使用することがありうる。ＲＲＣパケットは、パケット内の第１のＴＵのシーケンス番号、
最後のパケット・インジケータ、パケット内のＴＵの番号、および、少なくとも１つの送信ユニットを含みうる。対応するアブストラクト・シンタックス・ノーテーション１（ＡＳＮ．１）は、ＲＲＣにおいてなされるので、以下のようになりうる。  
【数１】
2010539803.tif 000003
【００４８】
図１０乃至図１１に示すように、説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００４９】
本明細書に記載された１または複数の態様によれば、スケジューリング・ユニットを処理することに関し推論がなされることが認識されるだろう。本明細書で用いられているように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００５０】
例によれば、上述した１または複数の方法は、スケジューリング・ユニットの転送に関して推論を行うことを含みうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００５１】
図１０に示すように、スケジューリング・ユニットを、通常は、基地局からモバイル・デバイスへ転送する方法論１０００の例が開示される。一般に、スケジューリング・ユニットは、エアを介して１つのスケジューリング・ブロックで送信するには大きすぎる（例えば、ビット数が多すぎる）。したがって、情報送信の際には、より小さな送信ユニットが使用されうる。動作１００２では、少なくとも１つの送信ユニットのサイズ（例えば、１ビットのような最小サイズ）が決定されうる。決定されたサイズが動作可能であるかを確認するために診断試験がなされる。その後、イベント１００４において、スケジューリング・ユニットが、決定されたサイズからなる少なくとも１つの送信ユニットへ分割されうる。
【００５２】
一般に、情報がどのように通信され、リソースがどのように使用されるかについて、（例えば、人工知能技術を用いることによって）予測がなされる。動作１００６では、一般にこの予測に基づいて、体系化が基づく利用可能なリソースが決定される。１つの実施形態によれば、サイズを決定すること、および／または、スケジューリング・ユニットを分割することは、利用可能なリソースに応じてなされる。
【００５３】
イベント１００８では、少なくとも１つの送信ユニットを、利用可能なリソースに応じて、通信パターンに体系化することがなされる。例えば位置、通信周波数、セキュリティ・パラメータ等のような意図するモバイル・デバイスに関連するメタデータが収集されうる。これらのパラメータは、動作１０１０において、（例えば、意図するモバイル・デバイスへ送信された）体系化された通信パターンにしたがって少なくとも１つの送信ユニットを送信することと連携して使用されうる。
【００５４】
様々な要因（例えば、天候、干渉、物理的な異常等）によって、必ずしもすべての送信ユニットがモバイル・デバイスに到達する訳ではない可能性があり、送信ユニットが連続的に送信されうる。しかしながら、基地局におけるリソースは変化するので、チェック１０１２において、リソース変化があったかを判定する。リソースが変化している場合、方法論１０００は動作１００６に戻りうる。さらに、別のチェック１０１４がなされ、送信ユニットを送信することが未だに適切であるかが判定される。例えば、チェック１０１４は、有効範囲領域を用いて、モバイル・デバイスが入ってきたことを発見することを含む。発見されたモバイル・デバイスは、少なくとも１つの送信ユニットを取得することができる。チェック１０１４はさらに、発見されたモバイル・デバイスが、少なくとも１つの送信ユニットを受信すべきかを判定する。この判定は、セキュリティに応じてなされる。モバイル・デバイスが安全ではないと判定された場合（例えば、スケジューリング情報を収集することが許可されていない場合）、方法論１０００は、動作１０１６を終了し、送信を停止することができる。
【００５５】
さらに、送信が未だに適切であるかを判定するチェック１０１４は、セキュリティではなく、保全の問題でありうる。したがって、チェック１０１４は、有効範囲領域内にモバイル・デバイスが存在しないときを判定することのみならず、ラベラによって肯定的な判定がなされると、エミッタを非アクティブにすることを含む。動作１０１６では、センダから少なくとも１つの送信ユニットを受信するモバイル・デバイスのログの生成がなされる。
【００５６】
しかしながら、しきい値を越えていないか、あるいは、満足しない場合には、方法論１０００は、スケジューリング・ユニットを再び送信するように指定されうる。チェック１０１８がなされ、一般に、モバイル・デバイスのニーズおよび／またはリソース割当における変化によって、再体系化されるべきかが判定される。再体系化されるべきであれば、
イベント１００８は、利用可能なリソースに応じて、少なくとも１つの送信ユニットを、通信パターンへ体系化することを繰り返すように機能し、少なくとも１つの送信ユニットの送信が、反復された体系にしたがって繰り返される。再体系化の後、または、チェック１００８が、再体系化が適切ではないと判定した場合、動作１０１０は、少なくとも１つの送信ユニットが取得されたとのコンファメーションが収集されるまで、あるいは、設定された数の送信がなされるまで、少なくとも１つの送信ユニットの送信を繰り返すものとして動作する。繰り返される送信は、モバイル・デバイスからのすべての送信ユニットでありうるか、送信ユニットの一部でありうるか、喪失された送信ユニット等でありうる。
【００５７】
図１１に示すように、スケジューリング・ユニットを処理する方法論１１００の例が開示される。動作１１０２では、利用可能なリソースに基づいてパッケージを配列する基地局から、生成された送信ユニット・パッケージを収集する。一般に、収集は、（例えば、ウイルスのような）悪意のあるコンテンツをスキャンすることと、（例えば、復号することのような）セキュリティ対策を実施することと、送信ユニット・パッケージを送信した基地局を識別すること等を含みうる。
【００５８】
動作１１０４では、収集された送信ユニット・パッケージにおいて、少なくとも１つの送信ユニットが識別される。チェック１１０６は、識別された送信ユニットが既に認識（例えば、分析されたか、構築されたシーケンスへと配列されたか等）がなされているかを判定するよう機能しうる。送信ユニットが既に認識されている場合、動作１１０８は、識別された送信ユニットを破棄するように動作しうる。
【００５９】
しかしながら、送信ユニットが未だに認識されていないのであれば、イベント１１１０は、少なくとも１つの識別された送信ユニットを、スケジューリング・ユニット・シーケンス内に配列するように動作しうる。別のチェック１１１２は、スケジューリング・ユニット・シーケンスから喪失した部分があるかを判定するように動作しうる。喪失した部分がある場合、動作１１１４は、スケジューリング・ユニットの再送信を要求するように動作しうる。したがって、チェック１１１２は、少なくとも１つの送信ユニットが喪失されていることを認識するように動作する。これによって、スケジューリング・ユニット・シーケンスは完了しない。喪失された部分がない場合、イベント１１１６は、スケジューリング・ユニット・シーケンスが完了したことを示すコンファメーションを送信するよう動作する。
【００６０】
図１２は、スケジューリング・ユニットの通信を容易にするモバイル・デバイス１２００の実例である。モバイル・デバイス１２００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機１２０２を備える。受信機１２０２は、例えばＭＭＳＥ受信機であり、受信したシンボルを復調し、それらをチャネル推定のためにプロセッサ１２０６へ送る復調器１２０４を備えうる。プロセッサ１２０６は、受信機１２０２によって受信された情報を分析し、および／または、送信機１２１６による送信のための情報を生成することに特化されたプロセッサ、モバイル・デバイス１２００の１または複数の構成要素を制御するプロセッサ、および／または、受信機１２０２によって受信された情報を分析することと、送信機１２１６による送信のための情報を生成することと、モバイル・デバイス１２００のうちの１または複数の構成要素を制御することとを全て行うプロセッサでありうる。
【００６１】
モバイル・デバイス１２００はさらに、プロセッサ１２０６と動作可能に接続されており、送信されるデータ、受信したデータ、利用可能なチャネルに関する情報、分析された信号および／または干渉強度に関するデータ、割り当てられたチャネルに関する情報、電力、レート等、および、チャネルの推定およびチャネルを介した通信のためのその他任意の適切な情報を格納しうるメモリ１２０８を備えうる。メモリ１２０８はさらに、（例えば、パフォーマンス・レベル、キャパシティ・レベル等の）チャネルの推定および／または利用に関するアルゴリズムおよび／またはプロトコルを格納しうる。
【００６２】
本明細書に記載のデータ・ストア（例えば、メモリ１２０８）は、揮発性メモリまたは不揮発性メモリの何れかであるか、あるいは、揮発性メモリと不揮発性メモリとの両方を含みうることが認識されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。対象システムおよび方法のメモリ１２０８は、限定されるのではなく、これらおよびその他任意の適切なタイプのメモリを備えることが意図される。
【００６３】
プロセッサ１２０６はさらに、ギャザラ１２１０と動作可能に接続されている。ギャザラ１２１０は、利用可能なリソースに基づいてパッケージを配列する基地局から、送信ユニット・パッケージを収集する。さらに、プロセッサ１２０２は、クラシファイヤ１２１２と動作可能に接続されている。クラシファイヤ１２１２は、収集された送信ユニット・パッケージにおいて、少なくとも１つの送信ユニットを識別する。冗長があるかを判定するために、以前に保持されている送信ユニットとの比較がなされる。冗長がある場合、送信ユニットは破棄される。しかしながら、送信ユニットが未知である場合、送信ユニットは、スケジューリング・ユニット・シーケンスに配列される。モバイル・デバイス１２００はさらに、変調器１２１４と、信号（例えば、ベースＣＱＩ、差分ＣＱＩ）を例えば基地局、他のモバイル・デバイス等へ送信する送信機１２１６とを備える。プロセッサ１２０６と別に示されているが、ギャザラ１２１０および／またはクラシファイヤ１２１２は、プロセッサ１２０６または（図示しない）多くのプロセッサの一部でありうることが認識されるべきである。
【００６４】
図１３は、スケジューリング・ユニットの通信を容易にするシステム１３００の実例である。システム１３００は、複数の受信アンテナ１３０６を介して１または複数のモバイル・デバイス１３０４から信号を受信する受信機１３１０と、複数の送信アンテナ１３０８を介して１または複数のモバイル・デバイス１３０４へ信号を送信する送信機１３２４と、を備える基地局１３０２（例えば、アクセス・ポイント等）を備える。受信機１３１０は、受信アンテナ１３０６から情報を受信する。そして、受信した情報を復調する復調器１３１２と動作可能に関連付けられている。復調されたシンボルは、図１２に関して上述したプロセッサと類似のプロセッサ１３１４によって分析される。このプロセッサは、メモリ１３１６に接続されている。メモリ１３１６は、信号（例えば、パイロット）強度および／または干渉強度を推定することに関連する情報と、送信されるべきデータまたはモバイル・デバイス１３０４（または、個別の基地局（図示せず））から受信されたデータと、および／または、本明細書に記載されたさまざまな動作および機能を実行することに関連するその他任意の適切な情報とを格納する。
【００６５】
プロセッサ１３１４はさらに、少なくとも１つの送信ユニットを、利用可能なリソースに応じて通信パターンへ体系化するアレンジャ１３１８へ接続される。アレンジャに加えて、プロセッサ１３１４は、体系化された通信パターンにしたがって少なくとも１つの送信ユニットを送信するセンダ１３２０に動作可能に接続されうる。センダ１３２０および送信機１３２４は、ともに動作するか、あるいは、単一のユニット等でありうることが認識される。送信される情報は、変調器１３２２へ提供されうる。変調器１３２２は、送信機１３２４によるアンテナ１３０８を介したモバイル・デバイス１３０４への送信のために、情報を多重化しうる。プロセッサ１３１４と別に示されているが、アレンジャ１３１８および／またはセンダ１３２０は、プロセッサ１３１４および（図示しない）多くのプロセッサの一部でありうることが認識されるべきである。
【００６６】
図１４は、無線通信システム７００の例を示す。無線通信システム１４００は、簡潔さの目的で、１つの基地局１４１０および１つのモバイル・デバイス１４５０を示す。しかしながら、システム１４００は、１より多い基地局、および／または、１より多いモバイル・デバイスを含むことができ、これら追加の基地局および／またはモバイル・デバイスは、以下に説明する基地局１４１０およびモバイル・デバイス１４５０の例と実質的と同じでも、別のものでもありうることが認識されるべきである。さらに、基地局１４１０および／またはモバイル・デバイス１４５０は、その間の無線通信を容易にするために、本明細書に記述されたシステム（図１乃至図９および図１２乃至１３）および／または方法（図１０乃至図１１）を適用しうることが認識されるべきである。
【００６７】
基地局１４１０では、多くのデータ・ストリームのためのトラフィック・データが、データ・ソース１４１２から送信（ＴＸ）データ・プロセッサ１４１４へ提供される。一例によれば、おのおののデータ・ストリームは、それぞれのアンテナを介して送信される。ＴＸデータ・プロセッサ１４１４は、トラフィック・データ・ストリームをフォーマットし、このデータ・ストリームのために選択された特定の符合化スキームに基づいて符号化し、インタリーブして、符合化されたデータを提供する。
【００６８】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１４５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ１４３０によって実行または提供される命令によって決定されうる。
【００６９】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０はその後、ＮＴ個の変調シンボル・ストリームを、ＮＴ個の送信機（ＴＭＴＲ）１４２２ａ乃至１４２２ｔへ提供する。さまざまな実施形態において、ＴＸ  ＭＩＭＯプロセッサ１４２０は、データ・ストリームのシンボル、および、そのシンボルが送信されるアンテナへ、ビームフォーミング重みを適用する。
【００７０】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号は、ＮＴ個のアンテナ１４２４ａ乃至１４２４ｔそれぞれから送信される。
【００７１】
モバイル・デバイス１４５０では、送信された変調信号がＮＲ個のアンテナ１４５２ａ乃至１４５２ｒによって受信され、おのおののアンテナ７５２からの受信信号が、それぞれの受信機（ＲＣＶＲ）１４５４ａ乃至１４５４ｒへ提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７２】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００７３】
プロセッサ１４７０は、上述したように、どの事前符合化行列を使用するのかを定期的に決定する。さらに、プロセッサ１４７０は、行列インデクス部およびランク値部とを備えた逆方向リンク・メッセージを規定することができる。
【００７４】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１４３６から受け取るＴＸデータ・プロセッサ１４３８によって処理され、変調器１４８０によって変調され、送信機１４５４ａ乃至１４５４ｒによって調整され、基地局１４１０へ送り戻される。
【００７５】
基地局１４１０では、モバイル・デバイス１４５０からの変調信号が、アンテナ１４２４によって受信され、受信機１４２２によって調整され、復調器１４４０によって復調され、ＲＸデータ・プロセッサ１４４２によって処理されて、モバイル・デバイス１４５０によって送信された逆方向リンク・メッセージを抽出する。さらに、プロセッサ１４３０は、ビームフォーミング重みを決定するためにどの事前符合化行列を使用するかを決定するために、この抽出されたメッセージを処理する。
【００７６】
プロセッサ１４３０およびプロセッサ１４７０は、基地局１４１０およびモバイル・デバイス１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【００７７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７８】
これら実施形態が、ソフトウェア、ファームウェア、ミドルウェアあるいはマイクロコード、プログラム・コードあるいはコード・セグメントで実現される場合、これらは、例えば記憶要素のようなコンピュータ読取可能媒体、機械読取可能媒体を有するコンピュータ・プログラム製品内に格納されうる。コード・セグメントは、手順、機能、サブプログラム、プログラム、ルーチン、サブルーチン、モジュール、ソフトウェア・パッケージ、クラス、または、コード、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７９】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８０】
図１５に示すように、スケジューリング・ユニットの通信を容易にするシステム１５００が例示される。例えば、システム１５００は、モバイル・デバイス内に少なくとも部分的に存在しうる。システム１５００は、プロセッサ、ソフトウェア、あるいはそれらの組み合わせ（例えば、ファームウェア）によって実現される機能を表す機能ブロックを含むものとして表されることが認識されるべきである。システム１５００は、連携して動作する電子構成要素の論理グループ１５０２を含む。論理グループ１５０２は、利用可能なリソースに応じて、少なくとも１つの送信ユニットを、通信パターンへ体系化する電子構成要素１５０４を含みうる。さらに、論理グループ１５０２は、体系化された通信パターンにしたがって、少なくとも１つの送信ユニットを送信する電子構成要素１５０６を含みうる。論理グループ１５０２はまた、少なくとも１つの送信ユニットのサイズを決定する電子構成要素と、スケジューリング・ユニットを、決定されたサイズからなる少なくとも１つの送信ユニットへ分割する電子構成要素と、少なくとも１つの送信ユニットを取得するモバイル・デバイスが入ってきたことを、有効範囲領域を用いて発見する電子構成要素と、発見されたモバイル・デバイスが、少なくとも１つの送信ユニットを受信すべきかを、セキュリティに応じて判定する電子構成要素と、送信された少なくとも１つの送信ユニットを受信するモバイル・デバイスのログを生成する電子構成要素と、有効範囲領域内にモバイル・デバイスが存在するときを判定する電子構成要素と、および／または、有効範囲領域内にモバイル・デバイスが存在しないときについて、ラベラによって肯定的な判定がなされると、エミッタを非アクティブにする電子構成要素と、を示し、（例えば、電子構成要素１５０４および／または１５０６の一部として）含むことができる。さらに、システム１５００は、電子構成要素１５０４および１５０６に関連付けられた機能を実行するための命令群を保持するメモリ１５０８を含みうる。メモリ１５０８の外側にあると示されているが、電子構成要素１５０４および１５０６のうちの１または複数は、メモリ１５０８内に存在しうることが理解されるべきである。
【００８１】
図１６に示すように、並べ替えられたコードワードについて連続的な干渉演算を適用することによって、低減されたフィードバックを計算するシステム１６００が例示される。システム１６００は、例えば、基地局内に存在しうる。図示するように、システム１６００は、プロセッサ、ソフトウェア、あるいはそれらの組み合わせ（例えば、ファームウェア）によって実現される機能を表す機能ブロックを含む。システム１６００は、順方向リンク送信を制御することを容易にする電子構成要素の論理グループ１６０２を含む。例えば、論理グループ１６０２は、利用可能なリソースに基づいてパッケージを配列する基地局から、生成された送信ユニット・パッケージを収集する電子構成要素１６０４を含みうる。さらに、論理グループ１６０６は、収集された送信ユニット・パッケージにおいて、少なくとも１つの送信ユニットを識別する電子構成要素１６０６を含みうる。論理グループ１６０２はまた、識別された送信ユニットが既に認識されているかを判定する電子構成要素、送信ユニットが既に認識されているのであれば、識別された送信ユニットを破棄する電子構成要素、スケジューリング・ユニット・シーケンス内に、少なくとも１つの識別された送信ユニットを配列する電子構成要素、スケジューリング・ユニット・シーケンスが完了していることを示すコンファメーションを送信する構成要素、少なくとも１つの送信ユニットが喪失され、スケジューリング・ユニット・シーケンスが完了していないことを認識する電子構成要素、および／または、スケジューリング・ユニットの再送信を要求する電子構成要素を示し、（例えば、電子構成要素１６０４および／または１６０６の一部として）含むことができる。さらに、システム１６００は、電子構成要素１６０４および電子構成要素１６０６に関連付けられた機能を実行するための命令群を保持するメモリ１６０８を含みうる。メモリ１６０８の外側にあると示されているが、電子構成要素１６０４、１６０６のうちの１または複数は、メモリ１６０８内に存在しうることが理解されるべきである。
【００８２】
１または複数の典型的な設計では、記載された機能は、ハードウェア、ソフトウェア、ファームウェア、またはこれらの任意の組み合わせで実施されうる。ソフトウェアで実現される場合、これらの機能は、格納されているか、あるいは、１または複数の命令によって送信されるか、あるいは、コンピュータ読取可能媒体上のコードでありうる。コンピュータ読取可能媒体は、ある場所から別の場所へのコンピュータ・プログラムの転送を容易にする任意の媒体を含むコンピュータ格納媒体および通信媒体の両方を含む。記憶媒体は、汎用コンピュータまたは特別用途のコンピュータによってアクセス可能なあらゆる利用可能な媒体でありうる。限定ではなく、一例によって、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、所望のプログラム・コードを命令群またはデータ構造の形態で搬送または格納するために使用され、汎用コンピュータまたは特別用途のコンピュータ、あるいは汎用プロセッサまたは特別用途のプロセッサによってアクセス可能なその他任意の媒体を備えうる。また、あらゆる接続が、コンピュータ読取可能媒体と適切に称される。例えば、同軸ケーブル、光ファイバ・ケーブル、ツイスト・ペア、デジタル加入者線（ＤＳＬ）、あるいは、例えば赤外線、ラジオ、およびマイクロ波のような無線技術を使用して、ソフトウェアが、ウェブサイト、サーバ、あるいはその他の遠隔ソースから送信される場合、同軸ケーブル、光ファイバ・ケーブル、ツイスト・ペア、ＤＳＬ、あるいは、例えば赤外線、ラジオ、およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、ＤＶＤ、フロッピー（登録商標）ディスク、およびブルーレイ・ディスクを含む。一般に、ｄｉｓｋは、データを磁気的に再生し、ｄｉｓｃは、レーザを用いてデータを光学的に再生する。上述したものの組み合わせもまた、コンピュータ読取可能媒体の範囲内に含まれるべきである。
【００８３】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010539803.tif 000004
【図２】
2010539803.tif 000005
【図３】
2010539803.tif 000006
【図４】
2010539803.tif 000007
【図５】
2010539803.tif 000008
【図６】
2010539803.tif 000009
【図７】
2010539803.tif 000010
【図８】
2010539803.tif 000011
【図９】
2010539803.tif 000012
【図１０】
2010539803.tif 000013
【図１１】
2010539803.tif 000014
【図１２】
2010539803.tif 000015
【図１３】
2010539803.tif 000016
【図１４】
2010539803.tif 000017
【図１５】
2010539803.tif 000018
【図１６】
2010539803.tif 000019
【国際調査報告】
2010539803.tif 000020
2010539803.tif 000021
2010539803.tif 000022
2010539803.tif 000023
2010539803.tif 000024